【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
１つ又は複数のネットワーク要素を具える、ネットワークサービスプランプロビジョニングシステムであって、
第１サービスプランコンポーネント及び第２サービスプランコンポーネントの取得及び記憶であって、
（ｉ）ネットワークトラフィック検査システムにおけるトラフィックイベントをフィルタする、第１トラフィック分類フィルタを特定する情報であって、当該トラフィックイベントが無線エンドユーザデバイスに関連している、情報、及び、
（ｉｉ）１つ又は複数の前記トラフィックイベントが、前記第１トラフィック分類フィルタにマッチする特性を有するときに、ネットワークポリシー実行システムにおいてトリガされる、第１ネットワークポリシーの実行、
を含む前記第１サービスプランコンポーネントと、
（ａ）前記ネットワークトラフィック検査システムにおける少なくともいくつかのトラフィックイベントをフィルタする、第２トラフィック分類フィルタ、を特定する情報、及び、
（ｂ）前記少なくともいくつかのトラフィックイベントのうち１つ又はそれ以上が、前記第２トラフィック分類フィルタにマッチする特性を有するときに、ネットワークポリシー実行システムにおいてトリガされる、第２ネットワークポリシーの実行、
を含む前記第２サービスプランコンポーネント、
との取得及び記憶と、
前記第２トラフィック分類フィルタに対する前記第１トラフィック分類フィルタの優先順位に従いネットワークプロビジョニング命令セットを作成する、前記第１サービスプランコンポーネントと前記第２サービスプランコンポーネントの処理であって、
当該ネットワークプロビジョニング命令セットが、前記ネットワークトラフィック検査システム用の１つ又は複数のトラフィック検査プロビジョニング命令と、前記ネットワークポリシー実行システム用の１つ又は複数のポリシー実行プロビジョニング命令と、を含む、処理と、
前記ネットワークトラフィック検査システムの使用における、前記１つ又は複数のトラフィック検査プロビジョニング命令の出力、と、
前記ネットワークポリシー実行システムの使用における、前記１つ又は複数のポリシー実行プロビジョニング命令の出力、と
を行うように構成されていることを特徴とする、ネットワークサービスプランプロビジョニングシステム。
【請求項２】
請求項１に記載のネットワークサービスプランプロビジョニングシステムにおいて、
前記第２トラフィック分類フィルタに対する前記第１トラフィック分類フィルタの優先順位に従いネットワークプロビジョニング命令セットを作成する、前記第１サービスプランコンポーネントと前記第２サービスプランコンポーネントの処理、を行う構成が、
前記１つ又は複数のトラフィック検査プロビジョニング命令内でトラフィック検査比較操作を順序付けて、当該１つ又は複数のトラフィック検査プロビジョニング命令が、
前記ネットワークトラフィック検査システムを、
前記トラフィックイベントのうちの１つが前記第１トラフィック分類フィルタにマッチする特性を有しているか否かを、当該トラフィックイベントが第２トラフィック分類フィルタにマッチする特性を有しているか否かを判断する前に判断する、
ように指示する構成を具える、
ことを特徴とするネットワークサービスプランプロビジョニングシステム。
【請求項３】
請求項２に記載のネットワークサービスプランプロビジョニングシステムにおいて、
前記第２トラフィック分類フィルタに対する前記第１トラフィック分類フィルタの優先順位に従いネットワークプロビジョニング命令セットを作成する、前記第１サービスプランコンポーネントと前記第２サービスプランコンポーネントの処理、を行う構成が、更に、
前記トラフィックイベントが前記トラフィックイベントのうちの１つが第１トラフィック分類フィルタにマッチする特性を有していない場合にのみ、前記第２トラフィック分類フィルタにマッチする特性を有しているか否かを判断するように、
前記ネットワークトラフィック検査システムに指示する１つ又は複数の命令を、
前記ネットワークプロビジョニング命令セット内に含む、構成を具える、
ことを特徴とするネットワークサービスプランプロビジョニングシステム。
【請求項４】
請求項２に記載のネットワークサービスプランプロビジョニングシステムにおいて、
前記第２トラフィック分類フィルタに対する前記第１トラフィック分類フィルタの優先順位に従いネットワークプロビジョニング命令セットを作成する、前記第１サービスプランコンポーネントと前記第２サービスプランコンポーネントの処理、を行う構成が、更に、
前記トラフィックイベントのうちの１つが第１トラフィック分類フィルタにマッチする特性を有している場合に、前記ネットワークトラフィック検査システムが当該トラフィックイベントのうちの１つが更に前記第２トラフィック分類フィルタにマッチする特性をも有しているか否かを判断するように指示する１つ又は複数の命令を、前記ネットワークプロビジョニング命令セット内に含む、構成を具える、
ことを特徴とするネットワークサービスプランプロビジョニングシステム。
【請求項５】
請求項１乃至４のいずれか１項に記載のネットワークサービスプランプロビジョニングシステムが、更に、
あるトラフィックイベントが、第２トラフィック分類フィルタにマッチする特性を有しているか否かを判断する前に、当該トラフィックイベントが第１トラフィック分類フィルタにマッチする特性を有しているか否かを判断する、
ポリシー実行優先順位規則を含むポリシー実行優先順位規則データストアを具え、
前記第２トラフィック分類フィルタに対する前記第１トラフィック分類フィルタの優先順位に従いネットワークプロビジョニング命令セットを作成する、前記第１サービスプランコンポーネントと前記第２サービスプランコンポーネントの処理、を行う構成が、
前記ネットワークプロビジョニング命令セット内に、
前記ポリシー実行優先順位規則を含む構成を具える、
ことを特徴とするネットワークサービスプランプロビジョニングシステム。
【請求項６】
請求項５に記載のネットワークサービスプランプロビジョニングシステムにおいて、
前記ポリシー実行優先順位規則が、複数のトラフィック分類フィルタについての優先順序を具え、
当該複数のトラフィック分類フィルタが、前記第１トラフィック分類フィルタと前記第２トラフィック分類フィルタを含む、
ことを特徴とするネットワークサービスプランプロビジョニングシステム。
【請求項７】
請求項１乃至６のいずれか１項に記載のネットワークサービスプランプロビジョニングシステムにおいて、
前記第１トラフィック分類フィルタを特定する情報が、
特定のデバイスアプリケーション、特定のネットワーク宛先、特定のネットワークソース、特定のトラフィックタイプ、特定のコンテンツタイプ、及び特定のトラフィックプロトコル、及びこれらの２つ又はそれ以上の組み合わせ、
のうちの少なくとも１つの検査基準を具える、
ことを特徴とするネットワークサービスプランプロビジョニングシステム。
【請求項８】
請求項１乃至７のいずれか１項に記載のネットワークサービスプランプロビジョニングシステムにおいて、
前記第１又は第２ネットワークポリシーの実行が、
トラフィック制御ポリシーのアプリケーション、
サービス利用に対する計算、課金又は料金請求のポリシーのアプリケーション、
サービス通知ポリシーのアプリケーション、 
のうちの少なくとも１つである、
ことを特徴とするネットワークサービスプランプロビジョニングシステム。
【請求項９】
請求項１乃至８のいずれか１項に記載のネットワークサービスプランプロビジョニングシステムにおいて、
前記１つ又は複数のネットワーク要素が、更に、
前記ネットワークプロビジョニング命令セット内に、
分類ベースの課金ポリシーの実行を支援する命令を含むように構成され、
当該課金ポリシーの分類が、
アプリケーション、宛先、ネットワーク、時間帯、輻輳状態、サービス品質、及びコンテンツタイプ、
のうちの少なくとも１つに類別される、
ことを特徴とするネットワークサービスプランプロビジョニングシステム。
【請求項１０】
請求項１乃至９のいずれか１項に記載のネットワークサービスプランプロビジョニングシステムにおいて、
前記１つ又は複数のネットワーク要素が、更に、
前記ネットワークプロビジョニング命令セット内に、
実行可能な応答を有するサービス購入ページの通知、の表示を支援する命令を含むように構成されている、
ことを特徴とするネットワークサービスプランプロビジョニングシステム。
【請求項１１】
請求項１乃至１０のいずれか１項に記載のネットワークサービスプランプロビジョニングシステムにおいて、
前記１つ又は複数のネットワーク要素が、更に、
前記ネットワークプロビジョニング命令セット内に、
デバイス状態又はネットワーク状態に応じて利用通知の生成を支援する命令を含むように構成されている、
ことを特徴とするネットワークサービスプランプロビジョニングシステム。
【請求項１２】
請求項１乃至１１のいずれか１項に記載のネットワークサービスプランプロビジョニングシステムにおいて、
前記１つ又は複数のネットワーク要素が、更に、
前記第１及び第２サービスプランコンポーネントのグループ分けを容易にし、
当該第１及び第２サービスプランコンポーネントをより大きなサービスプランコンポーネントへのグループ分けを提供するように構成されている、
ことを特徴とするネットワークサービスプランプロビジョニングシステム。
【請求項１３】
請求項１乃至１２のいずれか１項に記載のネットワークサービスプランプロビジョニングシステムにおいて、
前記ネットワークポリシー実行システムの少なくとも一部が、前記無線エンドユーザデバイス上にあること、
を特徴とするネットワークサービスプランプロビジョニングシステム。
【請求項１４】
請求項１乃至１３のいずれか１項に記載のネットワークサービスプランプロビジョニングシステムにおいて、
前記ネットワークポリシー実行システム、又は前記ネットワークトラフィック検査システムのうちの少なくとも１つが、
前記無線エンドユーザデバイス上にエージェントを具える、
ことを特徴とするネットワークサービスプランプロビジョニングシステム。
【請求項１５】
請求項９に記載のネットワークサービスプランプロビジョニングシステムにおいて、
前記課金ポリシーが、
利用量、時間、超過量、又はこれらの組み合わせ、
に基づくものである、
ことを特徴とするネットワークサービスプランプロビジョニングシステム。
【請求項１６】
請求項１乃至１５のいずれか１項に記載のネットワークサービスプランプロビジョニングシステムにおいて、
前記１つ又は複数のネットワーク要素が、更に、
前記ネットワークプロビジョニング命令セット内に、
通知ポリシーの実装を支援する命令を含むように構成されている、
ことを特徴とするネットワークサービスプランプロビジョニングシステム。
【請求項１７】
請求項１６に記載のネットワークサービスプランプロビジョニングシステムにおいて、
前記１つ又は複数のポリシー実行プロビジョニング命令が、
契約者又は無線エンドユーザデバイスに送達すべき通知の発生を支援する、
ことを特徴とするネットワークサービスプランプロビジョニングシステム。
【請求項１８】
請求項１７に記載のネットワークサービスプランプロビジョニングシステムにおいて、
前記通知が、前記無線エンドユーザデバイスの現在の活動又は状態に基づいて、メッセージ又はオファーを提供する、
ことを特徴とするネットワークサービスプランプロビジョニングシステム。
【請求項１９】
請求項１７に記載のネットワークサービスプランプロビジョニングシステムにおいて、
前記通知がアップセルオファーを含む、
ことを特徴とするネットワークサービスプランプロビジョニングシステム。
【請求項２０】
請求項１９に記載のネットワークサービスプランプロビジョニングシステムにおいて、
前記アップセルオファーが、
ネットワーク状態、デバイス状態、又は契約者状態、
に基づく、
ことを特徴とするネットワークサービスプランプロビジョニングシステム。
【請求項２１】
請求項１７に記載のネットワークサービスプランプロビジョニングシステムにおいて、
前記通知が、
購入、データ利用、アプリケーション、データ量、割合、又はこれらの組み合わせ、
に関する情報を含む、
ことを特徴とするネットワークサービスプランプロビジョニングシステム。
【請求項２２】
請求項１７に記載のネットワークサービスプランプロビジョニングシステムにおいて、
前記通知が、
契約者が行う、
前記無線エンドユーザデバイスのアクティベート、前記無線エンドユーザデバイスに対するサービスプランの選択、好みの設定、又はこれらの組み合わせ、
を支援する情報を含む、
ことを特徴とするネットワークサービスプランプロビジョニングシステム。
【請求項２３】
請求項１６乃至２２のいずれか１項に記載のネットワークサービスプランプロビジョニングシステムにおいて、
前記１つ又は複数のネットワーク要素が、更に、
前記通知ポリシーを特定する情報を設計者から取得する、
ように構成されている、
ことを特徴とするネットワークサービスプランプロビジョニングシステム。
【請求項２４】
請求項２３に記載のネットワークサービスプランプロビジョニングシステムにおいて、
前記通知ポリシーを特定する情報が、
名前、説明、通知先、前記通知に関連する対話、前記通知をフォアグラウンドに表示するかバックグラウンドに表示するか、前記通知に関連する選択肢の特定、又はこれらの組み合わせ、
を含む、
ことを特徴とするネットワークサービスプランプロビジョニングシステム。
【請求項２５】
請求項１乃至２４のいずれか１項に記載のネットワークサービスプランプロビジョニングシステムにおいて、
前記１つ又は複数のネットワーク要素が、更に、
前記ネットワークプロビジョニング命令セット内に、
トラフィック制御ポリシーの実装を支援する命令を含むように構成されている、
ことを特徴とするネットワークサービスプランプロビジョニングシステム。
【請求項２６】
請求項２５に記載のネットワークサービスプランプロビジョニングシステムにおいて、
前記制御ポリシーが、
トラフィックイベントの、
許可、ブロック、抑制、遅延又は延期、
を特定する、
ことを特徴とするネットワークサービスプランプロビジョニングシステム。
【請求項２７】
請求項２５に記載のネットワークサービスプランプロビジョニングシステムにおいて、
前記トラフィック制御ポリシーが、
ネットワーク状態、デバイス状態、サービスプラン利用状態、又はこれらの組み合わせ、
に基づく、
ことを特徴とするネットワークサービスプランプロビジョニングシステム。
【請求項２８】
請求項１乃至２７のいずれか１項に記載のネットワークサービスプランプロビジョニングシステムにおいて、
前記トラフィックイベントの各々が、
特定の宛先、前記無線エンドユーザデバイス上の特定のアプリケーション、コンテンツタイプ、プロトコル、ポート、又は前記無線エンドユーザデバイスのオペレーティングシステム、
のうちの少なくとも１つに関連している、
ことを特徴とするネットワークサービスプランプロビジョニングシステム。
【請求項２９】
請求項１乃至２８のいずれか１項に記載のネットワークサービスプランプロビジョニングシステムにおいて、
前記１つ又は複数のネットワーク要素が、
前記第１トラフィック分類フィルタを特定する情報と、前記第２トラフィック分類フィルタを特定する情報、
のうちの少なくともいずれか１つを設計者から取得するように構成されている、
ことを特徴とするネットワークサービスプランプロビジョニングシステム
【請求項３０】
請求項１乃至２９のいずれか１項に記載のネットワークサービスプランプロビジョニングシステムにおいて、
前記１つ又は複数のネットワーク要素が、
前記第１サービスプランコンポーネントの少なくとも一部と、
前記第２サービスプランコンポーネントの少なくとも一部と、
を設計者から取得するように構成されている、
ことを特徴とするネットワークサービスプランプロビジョニングシステム。
【請求項３１】
請求項１乃至３０のいずれか１項に記載のネットワークサービスプランプロビジョニングシステムにおいて、
前記１つ又は複数のネットワーク要素が、更に、
前記無線エンドユーザデバイスのユーザインターフェイスを通じて提供するブランディングを設計者がカスタマイズすることを支援するように構成されている、
ことを特徴とするネットワークサービスプランプロビジョニングシステム。